(57)【要約】【課題】製造コストや維持コストを低減することができる画像表示装置を提供することを目的とする。【解決手段】画像表示装置１は、光源２と、この光源２を囲み、光源２からの光を透過拡散し、複数の画像をそれぞれ縦Ｍ分割、横Ｎ分割することで形成された各画素に対応する画素部を配列手段により配列した画素部群を有する画像部材３と、この画像部材３を透過する光のうち、各広告画像に対応した画素部ごとに観察者側に通過させる透過部が形成されるピンホールパネル４と、ピンホールパネル４を画像部材３に対して回転させるモータ５３とを備える。配列手段は、画像ごとに対応する画素部から当該画像ごとに、各画像における分割位置が同一の１画素部ずつから形成された複数の画素部グループをこの広告画像における分割位置に応じて配列し、ピンホールパネル４の回転方向において隣り合う画素部が広告画像の表示順となるように各画素部グループ内で配列する。【選択図】        図１
2007132959.tif 000002
【特許請求の範囲】
【請求項１】
光を照射する発光手段と、
前記発光手段からの光を透過し、Ｋ枚（Ｋ＞１）の画像をそれぞれ横Ｍ（Ｍ＞１）分割、縦Ｎ（Ｎ＞１）分割することで形成された各画素に対応する画素部を配列手段により配列した画素部群を１組以上有する画像部材と、
前記画像部材を挟んで、前記発光手段と対向して配置され、当該画像部材を透過する光のうち、各画像に対応した画素部ごとに当該画像部材側の反対側に通過させる透過部からなる透過部群１組以上形成される表示部材と、
前記表示部材を前記画像部材に対して移動させる表示部材移動手段と、
を備える画像表示装置であって、
前記配列手段は、
前記画像ごとに対応する画素部から当該画像ごとに１画素部ずつ合計Ｋ個をＸ（Ｘ＞１）行×Ｙ（Ｙ＞１）列に配列（Ｋ＝Ｘ×Ｙ）した複数の画素部グループ（Ｍ×Ｎ個）を形成し、
前記複数の画素部グループを、各画素部グループ内の同一画像に対応する画素部の当該画像における分割位置に応じてＭ行×Ｎ列に配列し、
前記画像部材に配列される各画素部を、前記表示部材の移動方向において隣り合うＸ個の前記各画素部グループ内の同一画像に対応する画素部が異なる行となり、当該移動方向において隣り合う画素部が前記Ｋ枚の画像の表示順となり、
前記各画素部グループ内の画素部の前記各画像における分割位置が同一、前記各画素部グループ内の各行の画素部の前記各画像における分割位置が同一であり当該行ごとの当該各画像における分割位置が連続、あるいは前記各画素部グループ内の各行の画素部の前記各画像における分割位置が連続であり当該行ごとの当該各画像における分割位置が連続のいずれか１つとなるように、前記各画素部グループ内で配列することを特徴とする画像表示装置。
【請求項２】
光を照射する発光手段と、
前記発光手段からの光を透過し、Ｋ枚（Ｋ＞１）の画像をそれぞれ横Ｎ（Ｎ＞１）分割、縦Ｍ（Ｍ＞１）分割することで形成された各画素に対応する画素部を配列手段により配列した画素部群を１組以上有する画像部材と、
前記画像部材を挟んで、前記発光手段と対向して配置され、当該画像部材を透過する光のうち、各画像に対応した画素部ごとに当該画像部材側の反対側に通過させる透過部からなる透過部群１組以上形成される表示部材と、
前記画像部材を前記表示部材に対して移動させる画像部材移動手段と、
を備える画像表示装置であって、
前記配列手段は、
前記画像ごとに対応する画素部から当該画像ごとに１画素部ずつ合計Ｋ個をＸ（Ｘ＞１）行×Ｙ列に配列（Ｋ＝Ｘ×Ｙ）した複数の画素部グループ（Ｍ×Ｎ個）に形成し、
前記複数の画素部グループを、各画素部グループ内の同一画像に対応する画素部の当該画像における分割位置に応じてＭ行×Ｎ列に配列し、
前記画像部材に配列される各画素部を、前記画像部材の移動方向と反対方向において隣り合うＸ個の前記各画素部グループ内の同一画像に対応する画素部が異なる行となり、当該反対方向において隣り合う画素部が前記Ｋ枚の画像の表示順となり、
前記各画素部グループ内の画素部の前記各画像における分割位置が同一、前記各画素部グループ内の各行の画素部の前記各画像における分割位置が同一であり当該行ごとの当該各画像における分割位置が連続、あるいは前記各画素部グループ内の各行の画素部の前記各画像における分割位置が連続であり当該行ごとの当該各画像における分割位置が連続のいずれか１つとなるように、前記各画素部グループ内で配列することを特徴とする画像表示装置。
【請求項３】
前記透過部を通過する光を集光する集光手段をさらに備えることを特徴とする請求項１または２に記載の画像表示装置。
【請求項４】
前記各透過部の面積は、前記画像部材の１画素部の面積よりも狭いことを特徴とする請求項１〜３のいずれか１つに記載の画像表示装置。
【請求項５】
複数の画像は、動画の各フレームの静止画像であることを特徴とする請求項１〜４のいずれか１つに記載の画像表示装置。
【請求項６】
前記発光手段から照射された光を拡散する拡散手段をさらに備え、
前記画像部材を透過した光は、前記拡散手段により拡散されることを特徴とする請求項１〜５のいずれか１つに記載の画像表示装置。
【発明の詳細な説明】
【技術分野】
【０００１】
本発明は、複数の画像を連続して表示する画像表示装置に関するものである。
【背景技術】
【０００２】
従来、街頭、スタジアム、競技場などには、多数の観察者が視認することができるように、大画面（例えば縦横ともに数メートル〜十数メートル）で画像、特に広告画像を表示する画像表示装置が提案されている。このような画像表示装置は、多数の観察者が離れた位置から視認するため、大画面の１画素が大きくても、大画面に表示されている画像を広告画像として認識することができる。
【０００３】
この画像表示装置は、従来のポスターや垂れ幕などと異なり、複数の静止画広告あるいは１以上の動画広告を繰り返し表示することとなる。例えば、特許文献１に示すような画像表示装置のように、ＬＥＤなどの素子を用いて広告を表示させる画像表示装置などが提案されている。
【０００４】
【特許文献１】特開２００３−１５７０３６号公報
【発明の開示】
【発明が解決しようとする課題】
【０００５】
しかしながら、上記素子を用いた画像表示装置では、素子１つの単価が高いため、画像表示装置が高価なものとなるという問題がある。また、この素子は、大画面の１画素に用いられるものであるため、例えばモニターなどで用いられている素子よりも大きく、その消費電力も大きくなるという問題もあった。つまり、素子を用いた画像表示装置は、製造コストや維持コストが高いという問題があった。
【０００６】
本発明は、上記に鑑みてなされたものであって、製造コストや維持コストを低減することができる画像表示装置を提供することを目的とするものである。
【課題を解決するための手段】
【０００７】
上述した課題を解決し、目的を達成するために、この発明は、光を照射する発光手段と、前記発光手段からの光を透過し、Ｋ枚（Ｋ＞１）の画像をそれぞれ横Ｎ（Ｎ＞１）分割、縦Ｍ（Ｍ＞１）分割することで形成された各画素に対応する画素部を配列手段により配列した画素部群を１組以上有する画像部材と、前記画像部材を挟んで、前記発光手段と対向して配置され、当該画像部材を透過する光のうち、各画像に対応した画素部ごとに当該画像部材側の反対側に通過させる透過部からなる透過部群１組以上形成される表示部材と、前記表示部材を前記画像部材に対して移動させる表示部材移動手段と、を備える画像表示装置であって、前記配列手段は、前記画像ごとに対応する画素部から当該画像ごとに１画素部ずつ合計Ｋ個をＸ（Ｘ＞１）行×Ｙ列に配列（Ｋ＝Ｘ×Ｙ）した複数の画素部グループ（Ｍ×Ｎ個）に形成し、前記複数の画素部グループを、各画素部グループ内の同一画像に対応する画素部の当該画像における分割位置に応じてＭ行×Ｎ列に配列し、前記画像部材に配列される各画素部を、前記表示部材の移動方向において隣り合うＸ個の前記各画素部グループ内の同一画像に対応する画素部が異なる行となり、当該移動方向において隣り合う画素部が前記Ｋ枚の画像の表示順となり、前記各画素部グループ内の画素部の前記各画像における分割位置が同一前記各画素部グループ内の各行の画素部の前記各画像における分割位置が同一であり当該行ごとの当該各画像における分割位置が連続、あるいは前記各画素部グループ内の各行の画素部の前記各画像における分割位置が連続であり当該行ごとの当該各画像における分割位置が連続のいずれか１つとなるように、前記各画素部グループ内で配列することを特徴とする。
【０００８】
また、この発明では、光を照射する発光手段と、前記発光手段からの光を透過し、Ｋ枚（Ｋ＞１）の画像をそれぞれ横Ｎ（Ｎ＞１）分割、縦Ｍ（Ｍ＞１）分割することで形成された各画素に対応する画素部を配列手段により配列した画素部群を１組以上有する画像部材と、前記画像部材を挟んで、前記発光手段と対向して配置され、当該画像部材を透過する光のうち、各画像に対応した画素部ごとに当該画像部材側の反対側に通過させる透過部からなる透過部群１組以上形成される表示部材と、前記画像部材を前記表示部材に対して移動させる画像部材移動手段と、を備える画像表示装置であって、前記配列手段は、前記画像ごとに対応する画素部から当該画像ごとに１画素部ずつ合計Ｋ個をＸ（Ｘ＞１）行×Ｙ列に配列（Ｋ＝Ｘ×Ｙ）した複数の画素部グループ（Ｍ×Ｎ個）に形成し、前記複数の画素部グループを、各画素部グループ内の同一画像に対応する画素部の当該画像における分割位置に応じてＭ行×Ｎ列に配列し、前記画像部材に配列される各画素部を、前記画像部材の移動方向と反対方向において隣り合うＸ個の前記各画素部グループ内の同一画像に対応する画素部が異なる行となり、当該移動方向と反対方向において隣り合う画素部が前記Ｋ枚の画像の表示順となり、前記各画素部グループ内の画素部の前記各画像における分割位置が同一前記各画素部グループ内の各行の画素部の前記各画像における分割位置が同一であり当該行ごとの当該各画像における分割位置が連続、あるいは前記各画素部グループ内の各行の画素部の前記各画像における分割位置が連続であり当該行ごとの当該各画像における分割位置が連続のいずれか１つとなるように、前記各画素部グループ内で配列することを特徴とする
【０００９】
これらの発明によれば、表示部材が表示部材移動手段、あるいは画像部材が画像部材移動手段により移動することで、表示部材の透過部は、画像部材を透過する光のうち、各画像に対応した画素部ごとに画像部材側の反対側、すなわち観察者が画像表示装置を観察する観察者側に通過させる。従って、観察者側には、各画像に対応した画素部のみを透過する光により、この画素部に対応する画素から構成される画像、例えば広告画像が表示される。これにより、従来のように、各画素にそれぞれ素子を用いずに、各画像を表示することができるので、製造コストを低減することができる。また、従来のように、各画素にそれぞれ素子を用いず発光手段により、広告画像を表示することができるので、消費電力を低減することができ、維持コストを低減することができる。
【００１０】
また、この発明では、上記画像表示装置において、前記透過部を通過する光を集光する集光手段をさらに備えることを特徴とする。
【００１１】
この発明によれば、画像部材の画素部のうち、透過部に対向する各画像に対応した画素部を透過し、この透過部を表示部材の観察者側に通過した光は、集光手段により、例えば観察者が観察する領域において集光した状態とすることができる。従って、観察者側に通過した光の拡散が抑制されるので、画像を明るく表示することができ、観察者の視認性が向上する。
【００１２】
また、この発明では、上記画像表示装置において、各透過部の面積は、前記画像部材の１画素部の面積よりも狭いことを特徴とする。
【００１３】
この発明によれば、各透過部の面積は、画像部材の１画素部の面積よりも狭いので、画像部材の画素部のうち、各画像に対応した画素部を透過した光のうち、各画像に対応した画素部の範囲よりも少し狭い範囲のみが透過部を表示部材の観察者側に通過することとなる。従って、透過部を表示部材の観察者側に通過する光に、各画像に対応した画素部以外を透過した光が含まれることを抑制することができる。これにより、表示される画像のノイズを抑制することができる。
【００１４】
また、この発明では、上記画像表示装置において、複数の画像は、動画の各フレームの静止画像であることを特徴とする。
【００１５】
この発明によれば、透過部は、動画の各フレームの静止画像を構成する画素に対応した画素部のみを透過する光を動画の各フレームの表示順に観察者側に通過させる。従って、動画、例えば動画広告を表示しても、製造コストおよび維持コストを低減することができる。
【００１６】
この発明では、上記画像表示装置において、前記発光手段から照射された光を拡散する拡散手段をさらに備え、前記画像部材を透過した光は、前記拡散手段により拡散されることを特徴とする。
【００１７】
この発明によれば、例えば発光手段と画像部材との間に拡散手段を配置することや、画像部材自体を拡散手段とすることで、画像部材を透過した光を拡散させる。従って、表示部材の透過部を通過する光の強さは、各透過部の発光手段に対する位置関係に拘わらず均一とすることができる。これにより、観察者側には、各画像に対応した画素部のみを透過する光が均一となり、この画素部に対応する画素から構成される画像、例えば広告画像の一部が暗くなることを抑制することができる。
【発明の効果】
【００１８】
本発明にかかる画像表示装置は、製造コストおよび維持コストを低減することができるという効果を奏する。
【発明を実施するための最良の形態】
【００１９】
以下、この発明につき図面を参照しつつ詳細に説明する。なお、下記の実施例によりこの発明が限定されるものではない。また、下記の実施例における構成要素には、当業者が容易に想定できるもの或いは実質的に同一のものが含まれる。
【実施例】
【００２０】
図１は、この発明の実施例にかかる画像表示装置の構成例を示す図である。図２は、画像表示装置により表示する画像、ここでは広告画像である。図３は、各画素部グループの構成例を示す図である。図４は、１組の画素部群を示す図である。図５は、画像部材の構成例を示す図である。図６は、表示部材の構成例を示す図である。図７〜図８は、画像表示装置の動作説明図である。図９および図１０は、表示部材の他の構成例を示す図である。図１１および図１２は、この発明にかかる画像表示装置の他の構成例を示す図である。この実施例では、後述する画像部材３に、９枚の広告画像をそれぞれ縦３分割、横３分割することで形成された８１個の各画素に対応する８１個の画素部を配列した画素部群１組が形成されているが、広告画像の枚数、縦および／または横の分割数、画素部群の組数は、これに限定されるものではない。
【００２１】
図１に示すように、実施例にかかる画像表示装置１は、発光手段である光源２と、画像部材３と、表示部材であるピンホールパネル４と、表示部材移動手段であるモータ５３とにより構成されている。なお、５は、光源２からの光が外部に漏れることを防止するケーシングである。また、１００は、画像表示装置１に表示された広告画像を視認する観察者である。例えば、画像表示装置１が、広告画像を大画面（例えば、縦および横の長さが数メートルから数十メートル）として表示する場合は、画像表示装置１に対してこの観察者１００が十分に離れて位置するものとする（例えば、数メートルから数十メートル）。
【００２２】
光源２は、発光手段であり、同図に示すように、ケーシング５内に収納されている。この光源２は、この実施例では複数本の蛍光灯で構成されている。この光源２は、画像表示装置１により広告画像を表示する際に、図示しない電力供給手段から供給された電力により光を照射するものである。なお、光源２は、蛍光灯に限られるものではなく、光を照射するものであれば例えばＬＥＤなどであっても良い。
【００２３】
画像部材３は、同図に示すように、平面に形成され、上記発光手段である光源２の前に配置されて、ケーシング５内に収納されている。この画像部材３には、１組以上の画素部群、この実施例では、図５に示すように、１組の画素部群３１を有する。この画像部材３は、この実施例では、入射した光を拡散透過するバックライトフィルムが用いられている。つまり、この画像部材３は、発光手段である光源２から照射された光を拡散する拡散手段としても機能するものである。なお、画像部材３は、バックライトフィルムに限られるものではなく、光を透過し、環状に形成できるものであれば例えば紙や、薄板などであっても良い。また、画像部材３として、バックライトフィルム以外の透明なプラスチックフィルムを用いる場合は、この画像部材３と光源２との間に、拡散手段として光を拡散する光拡散板を備えることが好ましい。
【００２４】
以下に、複数の広告画像からこの画像部材３の画素部の配列方法について説明する。まず、図２に示すように、Ｋ枚（Ｋ＞１）の広告画像、この実施例では、同じ大きさの９枚の広告画像Ａ〜Ｉをそれぞれ複数の画素に分割する。ここで、この９枚の広告画像Ａ〜Ｉは、それぞれ図示しない１つの動画広告の各フレームの静止画像である。各広告画像Ａ〜Ｉは、それぞれ各画素の大きさが同一となるように、横Ｎ（Ｎ＞１）分割、縦Ｍ（Ｍ＞１）分割され、Ｍ×Ｎ個の画素が形成される。この実施例では、各広告画像Ａ〜Ｉをそれぞれ縦３分割（Ｍ＝３）し、横３（Ｎ＝３）分割し、各広告画像Ａ〜Ｉからそれぞれ９個の画素を形成する。上記画像部材３の画素部群３１は、それぞれ上記Ｋ枚の広告画像Ａ〜Ｉを分割することで形成されたＫ×Ｍ×Ｎ画素に対応したＫ×Ｍ×Ｎ個により構成されている。つまり、この実施例では、画素部群３１は、８１個の画素にそれぞれ対応した８１個の画素部Ａ１１〜Ｉ３３により構成されている。なお、この画素部Ａ１１〜Ｉ３３を画像部材３に形成する方法としては、例えば画像部材３に８１個の画素を直接印刷することで、この８１個の画素にそれぞれ対応した画素部Ａ１１〜Ｉ３３を形成する。
【００２５】
次に、画素部Ａ１１〜Ｉ３３により複数のグループを形成する。ここでは、広告画像ごとに対応する画素部からこの広告画像ごとに１画素部ずつ合計ＫをＸ行（Ｘ＞１）×Ｙ列（Ｙ＞１）に配列し、Ｍ×Ｎ個の画素部グループを形成する。この実施例では、図３に示すように、９枚の広告画像Ａ〜Ｉごとに１画素部ずつ合計９個を３行（Ｘ＝３）×３列（Ｙ＝３）に配列した９個の画素部グループ（Ｍ１Ｎ１グループ〜Ｍ３Ｎ３グループ）を形成する。つまり、各画素部グループ（Ｍ１Ｎ１グループ〜Ｍ３Ｎ３グループ）には、各広告画像Ａ〜Ｉに対応する画素部がそれぞれ１画素部ずつ含まれる。
【００２６】
ここで、各画素部グループ（Ｍ１Ｎ１グループ〜Ｍ３Ｎ３グループ）内に含まれる各広告画像Ａ〜Ｉに対応する１画素部の選択方法は、種々考えられるが、この実施例では各画素部グループ（Ｍ１Ｎ１グループ〜Ｍ３Ｎ３グループ）内の画像部が各広告画像における分割位置と同一となるように選択する。実施例では、同図に示すように、各広告画像Ａ〜Ｉの上部左側を分割位置とする画素部Ａ１１〜Ｉ１１をＭ１Ｎ１グループとし、各広告画像Ａ〜Ｉの上部中央側を分割位置とする画素部Ａ１２〜Ｉ１２をＭ１Ｎ２グループとし、各広告画像Ａ〜Ｉの上部右側を分割位置とする画素部Ａ１３〜Ｉ１３をＭ１Ｎ３グループとし、各広告画像Ａ〜Ｉの中央部右側を分割位置とする画素部Ａ２１〜Ｉ２１をＭ１Ｎ２グループとし、各広告画像Ａ〜Ｉの中央部中央側を分割位置とする画素部Ａ２２〜Ｉ２２をＭ１Ｎ１グループとし、各広告画像Ａ〜Ｉの中央部右側を分割位置とする画素部Ａ２３〜Ｉ２３をＭ２Ｎ３グループとし、各広告画像Ａ〜Ｉの下部左側を分割位置とする画素部Ａ３１〜Ｉ３１をＭ３Ｎ１グループとし、各広告画像Ａ〜Ｉの下部中央部を分割位置とする画素部Ａ３２〜Ｉ３２をＭ３Ｎ２グループとし、各広告画像Ａ〜Ｉの下部右側を分割位置とする画素部Ａ３３〜Ｉ３３をＭ３Ｎ３グループとする。
【００２７】
次に、図４に示すように、画素部群のそれぞれのＫ×Ｍ×Ｎ個の画素部が区分けされた複数（Ｍ×Ｎ個）の画素部グループを各画素部グループ内の画素部の広告画像における分割位置に応じて縦Ｍ行、横Ｎ列に配列する。この実施例では、上記画素部群３１のそれぞれの画素部Ａ１１〜Ｉ３３が区分けされた９個の画素部グループ（Ｍ１Ｎ１グループ〜Ｍ３Ｎ３グループ）を、この９個の画素部グループ（Ｍ１Ｎ１グループ〜Ｍ３Ｎ３グループ）内の画素部Ａ１１〜Ｉ３３の広告画像Ａ〜Ｉにおける分割位置に応じて配列する。ここでは、この９個の画素部グループを縦３行、横３列に配列する。これにより、画素部群３１は、上の列（Ｍ＝１）がＭ１Ｎ１グループ、Ｍ１Ｎ２グループ、Ｍ１Ｎ３グループの順、中央の列（Ｍ＝２）がＭ２Ｎ１グループ、Ｍ２Ｎ１グループ、Ｍ２Ｎ３グループの順、下の列（Ｍ＝３）がＭ３Ｎ１グループ、Ｍ３Ｎ１グループ、Ｍ３Ｎ３グループの順となる。
【００２８】
次に、図５に示すように、画像部材に配列される各画像部を表示部材の移動方向、すなわち回転方向において隣り合うＸ個の各画像部グループ内の同一画像に対応する画像部が異なる行となるように各画素部グループ内で配列する。この実施例では、画像部材３に配列される画素部群３１の各画像部Ａ１１〜Ｉ３３の全てがピンホールパネル４の回転方向において隣り合う３個（Ｘ＝３）の各画像部グループ内の同一画像に対応する画像部が異なる行となるように配列する。例えば、画素部群３１のＭ＝１のグループ（Ｍ１Ｎ１グループ、Ｍ１Ｎ１グループ、Ｍ１Ｎ３グループ）における同一画像である広告画像Ａに対応する画素部Ａ１１，Ａ１２，Ａ１３や、同一画像である広告画像Ｄに対応する画素部Ｄ１１，Ｄ１２，Ｄ１３や、同一画像である広告画像Ｇに対応する画素部Ｇ１１，Ｇ１２，Ｇ１３などは異なる行となるように配列する。なお、Ｍ＝２，Ｍ＝３のグループにおいても、同様に同一画像に対向する画像部が異なる行となるように配列する。
【００２９】
そして、同図に示すように、画像部材に配列される各画像部を表示部材の移動方向、すなわち回転方向において隣り合う画素部がＫ枚の広告画像の表示順となる各画素部グループ内で配列する。この実施例では、画像部材３に配列される画素部群３１の各画像部Ａ１１〜Ｉ３３の全てがピンホールパネル４の回転方向において隣り合う画素部が９（Ｋ＝９）枚の広告画像Ａ〜Ｉの表示順となるように各画素部グループ（Ｍ１Ｎ１グループ〜Ｍ３Ｎ３グループ）内で配列する。例えば、同図に示すように、ピンホールパネル４の回転方向に互いに隣り合う画像部Ａ１１〜Ｉ３３は、回転方向側と反対側に向かってＡ１１，Ｂ１１，Ｃ１１，Ｄ１２，Ｅ１２，Ｆ１２，Ｇ１３，Ｈ１３，Ｉ１３の順やＡ２３，Ｂ２３，Ｃ２３，Ｄ２１，Ｅ２１，Ｆ２１，Ｇ２２，Ｈ２２，Ｉ２２の順のように、回転方向に向かって広告画像Ａ〜Ｉを構成する画素に対応する画像部がＡ〜Ｉの順を繰り返すように配列される。
【００３０】
ピンホールパネル４は、表示部材であり、図１に示すように、環状に形成され、その内側に上記発光手段である光源２および画像部材３を囲むようにケーシング５内に収納されている。つまり、ピンホールパネル４は、画像部材３を挟んで、光源２と対向して配置されている。このピンホールパネル４は、その一方の面、すなわち画像部材側の反対側である観察者１００が画像表示装置１を観察する観察者側の面がケーシング５から露出するように、このケーシング５に固定されている。このピンホールパネル４は、透明なフィルムを後述する透過部を除いて黒色に印刷することで構成され、この黒色に印刷された部分が光を透過しないものである。従って、画像部材３の後述する透過部４１ａ〜４１ｉに対向する部分以外の部分を透過した光源２の光は、このピンホールパネル４により、ケーシング５の外部、すなわち観察者側に届かない。なお、このピンホールパネル４は、光を透過しないものであれば、例えば黒色のプラスチック板や金属板などで構成されていても良い。また、このピンホールパネル４は、ケーシング５に対して、画像部材３を挟んで対向するように設けても良い。これにより、画像表示装置１の両側面から画像を表示することができる。
【００３１】
このピンホールパネル４には、図６に示すように、画像部材３を透過拡散する光を画像部材側の反対側、すなわち観察者側に通過させる透過部が、画素部群の各画素部グループにそれぞれ対応するようにＭ×Ｎ個形成され、このＭ×Ｎ個からなる透過部群１組以上有する。この実施例では、画素部群３１の各画素部グループ（Ｍ１Ｎ１グループ〜Ｍ３Ｎ３グループ）にそれぞれ対応するように９個の透過部４１ａ〜４１ｉ，４２ａ〜４２ｉ，４３ａ〜４３ｉからなる３組の透過部群４１，４２，４３が表示部材であるピンホールパネル４の移動方向に隣り合うように形成されている。各透過部群４１〜４３の各透過部４１ａ〜４１ｉ，４２ａ〜４２ｉ，４３ａ〜４３ｉは、それぞれ各画素部グループ（Ｍ１Ｎ１グループ〜Ｍ３Ｎ３グループ）の画素部Ａ１１〜Ｉ３３のうち、各広告画像Ａ〜Ｉに対応した画素部、この実施例では広告画像Ａに対応した画素部Ａ１１〜Ａ３３に対向するように形成されている。これにより、透過部４１ａ〜４３ｉは、画像部材３の画素部Ａ１１〜Ｉ３３のうち各広告画像Ａ〜Ｉに対応した画素部のみ、例えば広告画像Ａに対応した画素部Ａ１１〜Ａ３３のみ、または広告画像Ｃに対応した画素部Ｃ１１〜Ｃ３３のみ、広告画像Ｇに対応した画素部Ｇ１１〜Ｇ３３のみを透過する光を観察者側に通過させる。なお、この各透過部４１ａ〜４３ｉは、その面積が上記画像部材３に形成される１画素部の面積と同一となるように形成されている。
【００３２】
このピンホールパネル４は、ケーシング５に回転自在に支持された２つのローラ５１，５２により、これらローラ５１，５２の回転方向に回転自在に支持されている。ローラ５１には、表示部材移動手段であるモータ５３が連結されており、このモータ５３は、画像表示装置１により画像、ここでは広告画像を表示する際に、図示しない電力供給手段から供給された電力によりローラ５１を矢印Ｓ１方向に回転させる。ピンホールパネル４は、ローラ５１が矢印Ｓ１方向に回転することで、画像表示部材３に対して矢印Ｓ２方向である回転方向に回転することとなる。なお、モータ５３の回転数が高い場合は、このローラ５１との間に減速機を介在させても良い。
【００３３】
次に、画像表示装置１の動作について説明する。図７に示すように、まず透過部群４１の透過部４１ａ〜４１ｉに広告画像Ａに対応した画素部Ａ１１〜Ａ３３がそれぞれ対向する位置となるように、ピンホールパネル４を画像部材３に対して配置する。従って、この状態の表示広告装置１は、広告画像Ａに対応する画像部Ａ１１〜Ａ３３を透過する光が透過部４１ａ〜４１ｉを通過して観察者側に届くこととなる。これにより、観察者側に広告画像Ａが表示され、観察者１００は画像表示装置１からの広告画像Ａを視認する。
【００３４】
次に、モータ５３を駆動することで、ピンホールパネル４を回転方向（図１の矢印Ｓ２方向）回転させると、ピンホールパネル４が画像部材３に対して回転方向に回転する。従って、各透過部４１ａ〜４３ｉが回転方向に移動し、各透過部４１ａ〜４３ｉのうち、ケーシング５から外部に露出する部分の各透過部に対向する画像部材３の画像部は、図８に示すように、広告画像Ａに対応する画像部Ａ１１〜Ａ３３から広告画像Ｂに対応する画像部Ｂ１１〜Ｂ３３となり、この画像部Ｂ１１〜Ｂ３３を透過する光が透過部４１ａ〜４１ｉを通過して観察者側に届くこととなる。これにより、観察者側に広告画像Ｂが表示され、観察者１００は画像表示装置１からの広告画像Ｂを視認する。
【００３５】
さらに、モータ５３を駆動することで、ピンホールパネル４が画像部材３に対して回転方向に回転すると、透過部４１ａ〜４１ｉに対向する画像部材３の画像部は、図８に示すように、広告画像Ｂに対応する画像部Ｂ１１〜Ｂ３３から広告画像Ｃに対応する画像部Ｃ１１〜Ｃ３３、広告画像Ｄに対応する画像部Ｄ１１〜Ｄ３３、広告画像Ｅに対応する画像部Ｅ１１〜Ｅ３３、広告画像Ｆに対応する画像部Ｆ１１〜Ｆ３３、広告画像Ｇに対応する画像部Ｇ１１〜Ｇ３３、広告画像Ｈに対応する画像部Ｈ１１〜Ｈ３３、広告画像Ｉに対応する画像部Ｉ１１〜Ｉ３３の順で変化し、画像部Ｃ１１〜Ｃ３３を透過する光、画像部Ｄ１１〜Ｄ３３を透過する光、画像部Ｅ１１〜Ｅ３３を透過する光、画像部Ｆ１１〜Ｆ３３を透過する光、画像部Ｇ１１〜Ｇ３３を透過する光、画像部Ｈ１１〜Ｈ３３を透過する光、画像部Ｉ１１〜Ｉ３３を透過する光の順で透過部４１ａ〜４１ｉを通過して観察者側に届くこととなる。これにより、観察者側に広告画像Ａ〜Ｉが順番に表示され、観察者１００は画像表示装置１からの広告画像Ａ〜Ｉを順番に視認する。なお、モータ５３を駆動することで、画像部材３がピンホールパネル４に対して回転方向に回転し続けると、観察者側に各広告画像Ａ〜Ｉを順番に繰り返し表示されることとなる。
【００３６】
以上のように、表示部材であるピンホールパネル４が表示部材移動手段であるモータ５３により回転することで、表示部材であるピンホールパネル４の各透過部群４１〜４３の各透過部４１ａ〜４３ｉは、画像部材３を透過拡散する光のうち、各広告画像Ａ〜Ｉに対応した画素部ごとに画像部材側の反対側、すなわち観察者が画像表示装置１を観察する観察者側に通過させる。従って、観察者側には、各広告画像Ａ〜Ｉに対応した画素部のみを透過する光により、この画素部に対応する画素から構成される広告画像Ａ〜Ｉが順番に表示される。従って、画像表示装置１は、９枚の広告画像Ａ〜Ｉを各フレームとする１つの動画広告を繰り返して、表示することができる。
【００３７】
これにより、従来のように、各画素にそれぞれ素子を用いずに、画像、ここでは動画広告を表示することができるので、製造コストを低減することができる。また、従来のように、各画素にそれぞれ素子を用いず発光手段により、広告画像を表示することができるので、消費電力を低減することができ、維持コストを低減することができる。また、画像表示装置１が表示する各画像を変更する際には、画像部材３を交換するのみで良いので、維持コストの増加を抑制するとともに、画像表示装置１が表示する各画像の変更を容易に行うことができる。
【００３８】
また、製造コストや維持コストを低減する画像表示装置として、レンチキュラレンズを用いた画像表示装置も考えられる。このレンチキュラレンズは、見る角度によって異なった画像が表示されるものである。従って、このレンチキュラレンズを用いた画像表示装置は、複数の画像、あるいは連続した静止画像を表示することで動画を表示することができる。しかしながら、このレンチキュラレンズを用いた画像表示装置では、画像の表示可能数は、観察者の移動方向における各画像の分割数にのみ依存する。これは、観察者の移動方向と直交する方向においては、各画像を分割することができないためである。つまり、このレンチキュラレンズを用いた画像表示装置では、表示可能な画像の数が少ないため、この画像表示装置で動画を表示することが困難であるという問題がある。しかしながら、この発明では、各画像を縦および横に分割することができるため、表示可能な画像の数をレンチキュラレンズを用いた画像表示装置と比較して、多くすることができる。これにより、動画の各フレームの静止画像を多く表示することができるので、動画をスムーズに表示することができる。
【００３９】
また、このレンチキュラレンズを用いた画像表示装置では、観察者が移動しないと、各画像や動画、すなわち表示可能な全ての画像を視認することができないという問題がある。しかしながら、この発明は、各透過部群４１〜４３の各透過部４１ａ〜４３ｉは、各広告画像Ａ〜Ｉに対応した画素部のみを透過する光を各広告画像Ａ〜Ｉの表示順に観察者側に通過させ、各広告画像Ａ〜Ｉを表示するので、観察者１００が移動しなくとも、観察者１００が表示可能なすべての広告画像を視認することができる。
【００４０】
また、この実施例では、画像部材３自体が拡散手段であるため、画像部材３を透過した光を拡散させることができる。従って、表示部材であるピンホールパネル４の各透過部４１ａ〜４３ｉを通過する光の強さは、各透過部４１ａ〜４３ｉの発光手段である光源２に対する位置関係に拘わらず均一とすることができる。これにより、各広告画像Ａ〜Ｉに対応した画素部のみを透過する光は均一となり、この画素部に対応する画素から構成される広告画像Ａ〜Ｉの一部が暗くなることを抑制することができる。
【００４１】
ここで、上記実施例における複数の広告画像Ａ〜Ｉは、各広告画像Ａ〜Ｉが静止画広告であっても良い。この場合は、画像表示装置１は、複数の静止画広告が順番に繰り返し表示することとなる。また、モータ５３の回転を間欠的にすることで、ピンホールパネル４の回転を停止することができ、このピンホールパネル４の回転停止中に各透過部４１ａ〜４３ｉに対向する画素部に対応する広告画像を長時間表示させることができる。
【００４２】
また、上記実施例におけるピンホールパネル４は、３組の透過部群４１〜４３が形成されているが、ピンホールパネル４の回転方向に１組の透過部群４１の各透過部４１ａ〜４１ｉを形成しても良い。
【００４３】
また、上記実施例では、各画素部グループ（Ｍ１Ｎ１グループ〜Ｍ３Ｎ３グループ）内に含まれる各広告画像Ａ〜Ｉ対応する１画素部の選択方法として、各画素部グループ（Ｍ１Ｎ１グループ〜Ｍ３Ｎ３グループ）内の画像部の各広告画像における分割位置と同一となるように選択したが、この発明はこれに限定されるものではない。例えば、各画素部グループ（Ｍ１Ｎ１グループ〜Ｍ３Ｎ３グループ）内の画像部の各広告画像における分割位置が同一であって行ごとのこの各広告画像における分割位置が連続となるように選択しても、各画素部グループ（Ｍ１Ｎ１グループ〜Ｍ３Ｎ３グループ）内の画像部の各広告画像における分割位置が連続であって各行のこの各広告画像における分割位置が連続となるように選択しても良い。
【００４４】
図９および図１０は、画像部材の他の構成例を示す図である。図９に示すように、各画素部グループ（Ｍ１Ｎ１グループ〜Ｍ３Ｎ３グループ）の各画素部を、各行（Ｘ＝３）がそれぞれ各広告画像Ａ，Ｂ，Ｃにおける分割位置が同一で他の行と分割位置が連続する画素部、各広告画像Ｄ，Ｅ，Ｆにおける分割位置が同一で他の行と分割位置が連続する画素部、各広告画像Ｇ，Ｈ，Ｉにおける分割位置が同一で他の行と分割位置が連続する画素部となるように選択する。例えば、Ｍ１Ｎ１グループは、それぞれの行に、各広告画像Ａ，Ｂ，Ｃにおける分割位置が同一で他の行と分割位置が連続する画素部Ａ１１，Ｂ１１，Ｃ１１、各広告画像Ｇ，Ｈ，Ｉにおける分割位置が同一で他の行と分割位置が連続する画素部Ｇ１２，Ｈ１２，Ｉ１２、各広告画像Ｄ，Ｅ，Ｆにおける分割位置が同一で他の行と分割位置が連続する画素部Ｄ１３，Ｅ１３，Ｆ１３を配列する。なお、このような各画素部グループ（Ｍ１Ｎ１グループ〜Ｍ３Ｎ３グループ）内に含まれる各広告画像Ａ〜Ｉ対応する１画素部の選択であっても、同図に示すように、画像部材３に配列される各画像部をピンホールパネル４の回転方向において隣り合う３個の各画像部グループ内の同一広告画像Ａ〜Ｉに対応する画像部が異なる行となるように各画素部グループ内で配列し、ピンホールパネル４の回転方向において隣り合う画素部が９枚の広告画像Ａ〜Ｉの表示順となる各画素部グループ内で配列する。
【００４５】
また、図１０に示すように、各画素部グループ（Ｍ１Ｎ１グループ〜Ｍ３Ｎ３グループ）の各画素部を、各行（Ｘ＝３）がそれぞれ各広告画像Ａ，Ｂ，Ｃにおける分割位置が連続で他の行と分割位置が連続する画素部、各広告画像Ｄ，Ｅ，Ｆにおける分割位置が連続で他の行と分割位置が連続する画素部、各広告画像Ｇ，Ｈ，Ｉにおける分割位置が連続で他の行と分割位置が連続する画素部となるように選択する。例えば、Ｍ１Ｎ１グループは、それぞれの行に、各広告画像Ａ，Ｂ，Ｃにおける分割位置が連続で他の行と分割位置が連続する画素部Ａ１１，Ｂ１２，Ｃ１３、各広告画像Ｇ，Ｈ，Ｉにおける分割位置が連続で他の行と分割位置が連続する画素部Ｇ１２，Ｈ１３，Ｉ１１、各広告画像Ｄ，Ｅ，Ｆにおける分割位置が連続で他の行と分割位置が連続する画素部Ｄ１３，Ｅ１１，Ｆ１２を配列する。なお、このような各画素部グループ（Ｍ１Ｎ１グループ〜Ｍ３Ｎ３グループ）内に含まれる各広告画像Ａ〜Ｉ対応する１画素部の選択であっても、同図に示すように、画像部材３に配列される各画像部をピンホールパネル４の回転方向において隣り合う３個の各画像部グループ内の同一広告画像Ａ〜Ｉに対応する画像部が異なる行となるように各画素部グループ内で配列し、ピンホールパネル４の回転方向において隣り合う画素部が９枚の広告画像Ａ〜Ｉの表示順となる各画素部グループ内で配列する。
【００４６】
図１１は、透過部の他の構成例を示す図である。同図に示すように、実施例における各透過部群４１〜４３の各透過部４１ａ〜４３ｉの面積Ｘ１は、画像部材３の１画素部（２点鎖線で囲まれる範囲）の面積Ｘ２より狭くても良い。各透過部４１ａ〜４３ｉの面積Ｘ１が画像部材３の１画素部の面積Ｘ２よりも狭いと、画像部材３の画素部Ａ１１〜Ｉ３３のうち、各広告画像Ａ〜Ｉに対応した画素部を透過した光のうち、各広告画像Ａ〜Ｉに対応した画素部の範囲よりも少し狭い範囲のみが透過部４１ａ〜４１ｉをピンホールパネル４の観察者側に通過することとなる。従って、透過部４１ａ〜４３ｉをピンホールパネル４の観察者側に通過する光に、各広告画像Ａ〜Ｉに対応した画素部以外を透過した光が含まれることを抑制することができる。これにより、表示される広告画像のノイズを抑制することができる。
【００４７】
図１２は、透過部の他の構成例を示す図である。同図に示すように、実施例における各透過部群４１〜４３の各透過部４１ａ〜４３ｉに集光手段である集光レンズ４４を取り付けても良い。この集光レンズ４４は、透過部４１ａ〜４３ｉを通過する画像部材３の画素部Ａ１１〜Ｉ３３のうち、この透過部４１ａ〜４３ｉに対向する各広告画像Ａ〜Ｉに対応した画素部を透過した拡散光Ｔ２を集光するものである。ここで、光源２から照射された光Ｔ１は、画像部材３を透過する際に、拡散され拡散光Ｔ２となる。従って、透過部４１ａ〜４３ｉを通過した拡散光Ｔ２は、通常観察者側においてさらに拡散するが、集光レンズ４４を取り付けることにより、Ｔ３のように観察者側に集光した状態とすることができる。従って、観察者側に通過した拡散光Ｔ２の拡散が抑制されるので、画像を明るく表示することができ、観察者の視認性を向上することができる。
【００４８】
なお、上記実施例では、表示部材であるピンホールパネル４を画像部材３に対して回転させたが、この発明はこれに限定されるものではない。図１３は、この発明にかかる画像表示装置の他の構成例を示す図である。同図に示すように、画像部材６を表示部材であるピンホールパネル７に対して回転するように構成しても良い。
【００４９】
画像部材６は、バックライトフィルムなどを環状に形成し、その内側に光源２を囲み、ピンホールパネル７と光源２との間に配置され、各広告画像Ａ〜Ｉに対応した画素部Ａ１１〜Ｉ３３が配列された画素部群が画像部材６の回転方向と反対方向に隣り合うように複数組、例えば２組形成する。画像部材６は、ケーシング５に回転自在に支持された２つのローラ５１，５２により、これらローラ５１，５２の回転方向に回転自在に支持されている。ローラ５１には、画像部材移動手段であるモータ５３が連結されており、画像部材６は、ローラ５１が矢印Ｓ１方向に回転することで、ピンホールパネル７に対して矢印Ｓ３方向である回転方向に回転することとなる。一方、ピンホールパネル７は、平面に形成され、かつ外側の面、すなわち観察者側の面がケーシング５から露出するように、このケーシング５内に収納されている。このピンホールパネル７は、少なくとも透過部４１ａ〜４１ｉからなる透過部群４１が１組以上形成されている。
【００５０】
光源２から光が照射され、画像部材６が回転方向にピンホールパネル７に対して回転すると、画像部材６に配列された画像部Ａ１１〜Ａ３３は、透過部４１ａ〜４１ｉに対して、広告画像Ａに対応する画像部Ａ１１〜Ａ３３に対向する位置から順番に広告画像Ｉに対応する画像部Ｉ１１〜Ｉ３３に対向する位置まで移動する。従って、画像表示装置１は、各広告画像Ａ〜Ｉを広告画像Ａ〜Ｉごとに表示位置が回転方向に順次ずれながら、Ａ〜Ｉの順番で表示することができる。なお、上記実施例における画像表示装置１は、各広告画像Ａ〜Ｉを広告画像Ａ〜Ｉごとに表示位置が回転方向に順次ずれながら、Ａ〜Ｉの順番で表示することができる。
【００５１】
また、上記実施例では、ピンホールパネル４のみあるいは画像部材６のみが環状に形成されているが、この発明はこれに限定されるものではない。図１４は、この発明にかかる画像表示装置の他の構成例を示す図である。同図に示すように、画像部材８およびピンホールパネル９のいずれも環状に形成しても良い。この場合、画像部材８には、各広告画像Ａ〜Ｉに対応した画素部Ａ１１〜Ｉ３３が配列された画素部群を１組で画像部材８の全周となるように形成する。画像部材８は、図示しない回転支持手段により、光源２を中心に回転自在に支持されている。この画像部材８は、画像部材移動手段であるモータ５３が連結されたローラ５４が接触しており、ローラ５４がモータ５３により矢印Ｓ４方向に回転することで、ピンホールパネル９に対して矢印Ｓ５方向である回転方向に回転することとなる。
【００５２】
ピンホールパネル９は、画像部材８を囲むように配置され、固定されている。このピンホールパネル９には、透過部４１ａ〜４１ｉを１組とした際に、画像部材８の回転方向に、この１組の透過部４１ａ〜４１ｉで、ピンホールパネル９の全周でとなるように形成する。
【００５３】
光源２から光が照射され、画像部材８が回転方向にピンホールパネル９に対して回転すると、透過部４１ａ〜４１ｉは、それぞれ広告画像Ａに対応する画像部Ａ１１〜Ａ３３に対向する位置から順番に広告画像Ｉに対応する画像部Ｉ１１〜Ｉ３３に対向する位置まで移動する。従って、画像表示装置１は、各広告画像Ａ〜Ｉを広告画像Ａ〜Ｉごとに表示位置が回転方向に順次ずれながら、Ａ〜Ｉの順番で表示することができる。
【００５４】
また、ピンホールパネル９が環状に形成されているので、この画像表示装置１は、画像部材８にこの画像部材８の回転方向に隣り合うように上記画素部群を複数組形成し、ピンホールパネル９に画像部材８の回転方向に隣り合うように透過部４１ａ〜４１ｉを１組とした際に、複数組形成しても良い。これにより、画像表示装置１は、各広告画像Ａ〜Ｉを円周上の複数箇所（透過部４１ａ〜４１ｉの組数に応じた箇所、例えばピンホールパネル９の全周）で表示することができる。これにより、観察者１００は、自分の位置に拘わらず、表示可能なすべての広告画像Ａ〜Ｉを視認することができる。
【００５５】
また、上記のように、画像部材８および画像表示部材であるピンホールパネル９がともに環状に形成されている場合は、画像部材８をピンホールパネル９に対して回転、あるいはピンホールパネル９を画像部材８に対して回転させるのみならず、画像部材８とピンホールパネル９とを相対回転させても良い。
【産業上の利用可能性】
【００５６】
以上のように、この発明にかかる画像表示装置は、動画を表示するのに有用であり、特に、製造コストおよび維持コストの低減に適している。
【図面の簡単な説明】
【００５７】
【図１】この発明の実施例にかかる画像表示装置の構成例を示す図である。
【図２】画像表示装置により表示する広告画像を示す図である。
【図３】各画素部グループの構成例を示す図である。
【図４】１組の画素部群を示す図である。
【図５】画像部材の構成例を示す図である。
【図６】表示部材の構成例を示す図である。
【図７】画像表示装置の動作説明図である。
【図８】画像表示装置の動作説明図である。
【図９】画像部材の他の構成例を示す図である。
【図１０】画像部材の他の構成例を示す図である。
【図１１】透過部の他の構成例を示す図である。
【図１２】透過部の他の構成例を示す図である。
【図１３】この発明にかかる画像表示装置の他の構成例を示す図である。
【図１４】この発明にかかる画像表示装置の他の構成例を示す図である。
【符号の説明】
【００５８】
１  画像表示装置
２  光源（発光手段）
３，６，８  画像部材
３１〜３３  画素部群
４，７，９  ピンホールパネル（表示部材）
４１〜４３  透過部群
４１ａ〜４３ｉ  透過部
４４  集光レンズ
５  ケーシング
５１，５２，５４  ローラ
５３  モータ（表示部材移動手段、画像部材移動手段）
１００  観察者
Ａ〜Ｉ  広告画像
Ａ１１〜Ｉ３３  画素部
【図１】
2007132959.tif 000003
【図２】
2007132959.tif 000004
【図３】
2007132959.tif 000005
【図４】
2007132959.tif 000006
【図５】
2007132959.tif 000007
【図６】
2007132959.tif 000008
【図７】
2007132959.tif 000009
【図８】
2007132959.tif 000010
【図９】
2007132959.tif 000011
【図１０】
2007132959.tif 000012
【図１１】
2007132959.tif 000013
【図１２】
2007132959.tif 000014
【図１３】
2007132959.tif 000015
【図１４】
2007132959.tif 000016